(57)【要約】【課題】水使用器具または通水部材を住宅の壁床等のパネルに設置する場合、下記三点の課題があった。第一課題：床高さにあわせるため、ボックス４の建築躯体からの高さ位置微調整が必要になる第二課題：床厚の違いにより、部材を複数準備する必要がある。第三課題：床板をボックス施工位置に正確に開口する必要がある。【解決手段】住宅用パネルにおいて、開口部を有する板と、前記板開口部に固定され、水使用器具または通水接続部材を収納するボックスと、前記水使用器具または前記通水接続部材に接続する通水管、または前記ボックスに接続され前記通水管が挿入される保護管を有するようにした。【選択図】　図１
2004092130.tif 000002
【特許請求の範囲】
【請求項１】
開口部を有する板と、前記板開口部に固定され、水使用器具または通水接続部材を収納するボックスと、前記水使用器具または前記通水接続部材に接続する通水管、または前記ボックスに接続され前記通水管が挿入される保護管を有することを特徴とする住宅用パネル
【請求項２】
前記板がパネル表の化粧板であり、パネルに作用する荷重を支える耐力部材を有することを特徴とする請求項１記載の住宅用床パネル。
【請求項３】
前記パネルが床パネルであることを特徴とする請求項１、２記載の住宅用パネル。
【発明の詳細な説明】
【０００１】
【産業上の利用分野】
本発明は住宅の床、壁、天井として設置する水使用器具を備える住宅用パネルに関するものである。
【０００２】
【従来の技術】
まず第一の従来例として一般に行われている、住宅に設置する水使用器具の例を示す。従来の住宅に設置する水使用器具は設置状態斜視図９のように、床に設置された大便器１が給水ホース２によって床に設置された通水接続部材３に接続されている。このときの通水接続部材３の構造について、図１０、図１１を使用して以下説明する。
図１０は通水接続部材３の床設置状態の断面図、図１１は通水接続部材３の床設置状態の部分断面図である。図１０にて示すように、通水部材７は水を供給する通水管１６と継手１７を介して接続されている。この通水部材７はボックス４にネジ止め固定され（図示せず）、このボックス４には通水管１６が挿通される樹脂製の保護管１３が保護管アダプター１４を介して接続されている。またボックス４は床スラブ８に部材を介して固定されており、ボックス４とボックス固定板１１との間はネジ２３によりネジ留め固定、またボックス固定板１１とボルト１０との間は２個のナット１２により挟み込み固定され、このボルト１０は床スラブ８に固定されたスラブ固定板９の雌ネジ部（図示せず）にねじ込み固定されている。また、カバー６がはめ込み固定される固定枠５は、開口を設けた床化粧板１５と粗床板２２を挟み込む状態でネジ１８によりネジ留め固定されている。また、通水部材７の室内側端部２８がソケット形状になっており、前記給水ホース２のプラグ形状をした端部（図示せず）がワンタッチで前記通水部材の室内側端部２８に接続できるようになっている。
【０００３】
また、第二の従来例として建築物に床パネルを使用して配管を行う例が特開２００１−３４０５に提案されている。これは建築物の床に配管する方法として、給排水器具をとりつける位置に沿って構成した給排水管を床パネルに収納するというものであり、この明細書によれば、根太に直接配管を取り付けるという方法に比べ、配管の位置出しや勾配設定を高い精度で実現できるという利点がある。
【０００４】
【発明が解決しようとする課題】
しかしながら前記の構成では下記三点の課題があった。
第一課題：床高さにあわせるため、ボックス４の建築躯体からの高さ位置微調整が必要になる
第二課題：床厚の違いにより、部材を複数準備する必要がある。
第三課題：床板をボックス施工位置に正確に開口する必要がある。
以下、各々説明する。
＜第一課題＞
建築現場では現場ごとに、スラブからの床高さが異なる。これは、建築物の用途や、工法により、設計上異なる場合と、スラブ等の施工誤差によるものとがある。第一の従来例ではボックス４と固定枠５で床化粧板１５および粗床板２２を挟み込む構造になっており、ボックス４は粗床板２２に当接させる必要がある。前記のように床高さが異なることにより、ボルト１０とナット１２によりボックス４の高さを調整しなくてはならない。これは大変わずらわしい作業である。この理由を以下に説明する。まず▲１▼粗床板２２の施工位置を墨出しし、▲２▼その高さにあわせてナット１２を緩めたり締め付けたりしてボックス４の高さを調整する。その後、▲３▼粗床板２２を根太等に固定するが、施工誤差により粗床板２２が傾いた場合には、粗床板２２とボックス４との高さがずれるため、▲４▼再度ナット１２を使用してボックス４の高さ調整が必要になる。これらの▲１▼〜▲４▼の施工は作業者の職種が異なり、▲１▼▲３▼については大工（建築工事）、▲２▼▲４▼については水道設備工（配管工事）が各々施工を行う。即ち上述の▲１▼〜▲４▼の工事を進めるにつれ、職種の異なる業者が交互に現場作業をする相判工事の必要が出てくるため、工事全体の管理が煩雑になる。
また、このことにより、建築現場での工期が延びてしまう。この理由を以下説明する。建築現場では多くの業者が工程に沿って作業を行うが、各施工業者は多くの現場を担当し、各現場の工程に従って現場に移動して施工を行う。工事全体を管理する現場管理業者はコストを抑えるため、施工業者の拘束時間を短くする必要があり、前記のような相判工事の場合は各業者の施工日を分けることになる。同じ日に異なる業者に施工をさせようとすると、現場で他の業者の施工終了まで待ち、作業を開始せざるをえず、手待ち時間すなわち余計な拘束時間が発生するためである。
＜第二課題＞
第一の従来例では、床厚の違いにより、部材を複数準備する必要がある。床は一般に機能により、荷重を支える耐力部材である粗床板、室内側にて表面を化粧するための床化粧板で構成されており、建築工法によっては保温のため、粗床板の下に断熱材が加わることもある。また、床化粧板は化粧のためにするのであるから種類が異なっても厚さはあまり変わらないが、粗床は荷重を支える必要があることから工法、用途によって厚さが大きく異なる。また、断熱材については工法による違いの他に環境温度によって必要な厚さが大きく異なる。
上記の従来例では、通水接続部材３の構造上、板厚さが異なることにより、通水部材７の寸法２１や前述のネジ１８の長さを変える必要がある。このことにより、建築現場ごとに数多くの部材を準備する必要があり、手間がかかり、ひいてはコストが高くなる。なお、この化粧用板と粗床板の組み合わせは床の場合のみではなく壁や天井の場合も同様であり、同じ課題を有していた。
＜第三課題＞
第一、第二の従来例では、建築現場にてボックスの施工位置に正確に板へ穴をあけるという困難な作業が必要である。第一の従来例では、この板は床化粧板と、粗床板に相当する。この場合２枚の板を正確にボックスの施工位置に開口しなくてはならない。穴開口位置がずれるとカバー６から開口部が見えてしまい、見栄えが悪くなる。また、第二の従来例では、配管のみが予め床パネルに取り付けられている。しかしながら壁床天井等のパネル内にボックスが埋め込まれて使用される場合には、建築現場にてパネル表板を切り欠き、水使用器具または通水接続部材の周囲を囲うボックスを取り付ける必要がある。この場合、予めパネルにボックス固定部材を取り付けておく。これは使用時に室内からの外力に対して外れないように水使用器具を強固に取り付けるためである。そしてその位置にボックスを固定する。しかしながら、この方法では現場での切り欠き位置と固定部材の位置ずれが生じやすく、ボックスが正しく施工できないことがある。
上述の課題を解決するため、本発明では水使用器具または通水部材を収納するボックスをパネルに取り付けてからパネルを建築躯体に取り付けるようにするものである。
【０００５】
【課題を解決するための手段】
本発明は前記問題点を解決するため、住宅用パネルにおいて、開口部を有する板と、前記板開口部に固定され、水使用器具または通水接続部材を収納するボックスと、前記水使用器具または前記通水接続部材に接続する通水管、または前記ボックスに接続され前記通水管が挿入される保護管を有するようにした。さらに前記板がパネル表の化粧板であり、パネルに作用する荷重を支える耐力部材を有するようにした。さらに、床パネルに適用した。
【０００６】
【発明の実施の形態￥＾】
本発明の実施の形態１の説明を行う。住宅用パネルが床パネルの場合を例に挙げて以下で説明する。図１、５は床パネルの通水接続部材設置部の部分断面図及び床パネル正面外観図、図４は床パネル２４を建築躯体に設置した状態の部分平面図、図２、３は図１記載のＢ−Ｂ及びＡ−Ａ断面である。また、図７は図４の部分拡大図、図８は床パネルの別の実施例の正面外観図、図６は床パネル３３を建築躯体に設置した状態の部分平面図である。また、図１は図２のＣ−Ｃ断面で、図３のＤ−Ｄ断面で切断してある。ボックス４、固定枠５等の構成は第一の従来例と同じである。
まず、工場にて製作される床パネルのボックス取り付け部構造を説明する。図１に示すように、ボックス４の凸部の大きさの開口を設けられた床化粧板１９をボックス４と固定枠５とでネジ１８を使用して挟み込み固定してある。また床化粧板１９の裏側には、ボックス４より大きな開口部を有する耐力部材である粗床板２７を、固定金具（図示せず）にて床化粧板１９に固定してある。また、ボックス４には保護管１３が接続されている。そのうえ粗床板２７の裏側（図１では下方）には保温材２０が固定されている。
上記のように製作された状態の床パネルの外観は図５のようになっている。２３は建築現場で施工される大便器１の排水管が通る穴であり、予めパネル製作時に開口されている。また、端部８箇所には穴２９が設けられており、施工時に建築躯体との固定ボルトが挿通される。
また、保護管１３の端部には他の保護管を接続するための保護管接続アダプター３０が設けられている。
【０００７】
前記のように製作されたパネル２４を住宅の躯体に施工し、通水接続部材を取り付ける。この手順を以下に説明する。
まず、住宅の躯体にパネル２４を施工する。住宅の土台部分の施工が終わった後、パネル２４を土台３５の上に設置し、図７のように土台３５との間を固定用のボルト３１とナット３２にて締付固定する。なお、図７において破線３４はパネル２４の下方にある土台３５の外形線である。
次に給水用の配管を施工する。図４のようにはじめにヘッダーボックス２５を住宅躯体へ取り付ける。これは住宅への給水本管（図示せず）から各水使用器具へ水を分岐配管するヘッダーを収めてあるボックスである。このヘッダーボックス２５とパネル２４の端部に設けられた保護管接続アダプター３０との間を保護管２６にて接続する。このように接続することで保護管がヘッダーボックス２５からボックス４まで接続されることになる。この後、前記ヘッダーボックス２５より保護管内に樹脂製の通水管を通管する。これにより、保護管２６及び保護管１３を通過した通水管はボックス４に達する。この後、通水管に継手１７を接続して、この継手１７に通水部材７を接続する。この通水部材７の室内側端部２８は、前記給水ホース２のプラグ形状をした端部（図示せず）がワンタッチで接続できるようになっている。最後にカバー６を固定枠５にはめ込み固定する。
【０００８】
上記のようにパネルを構成したので、各課題に対しては各々下記のように解決している。
第一の課題に対しては、ボックスを予め床パネルに取り付けることにより、床高さによる調整の必要は無くなり、施工性が向上した。
第二の課題に対しては、予めボックス４を床化粧板１９に固定した状態で床パネルを製作し、その後床パネルを建築躯体に施工するようにしたので、建築工法や地域によって粗床板２７や保温材２０の厚さが異なっても、同一の部材で構成することができる。
第三の課題に対しては、床化粧板や粗床板の開口を建築現場ではなく工場にて行うので、ボックスの正確な設置位置に、正確な大きさで開口を設けることができる。
【０００９】
また本発明の実施の形態１では、床化粧板の裏に、床の荷重を支える耐力部材としての粗床板、および保温材が配置される場合であるが、本発明はこれに限定されるものではない。例えば、二枚の板の間に耐力部材として棒材を組み合わせたものを配置した厚い床パネルの場合でも、同様に適用でき、部材の共通化という効果を有する。また、床に限定されるものではなく壁においても同様で、建築工法によって断熱材が備えられる場合でも、厚さの差異の影響を受けないパネルを実現することができる。
【００１０】
また、本発明の実施の形態１では床パネル端部の保護管１３に接続するための保護管接続アダプター３０を備えている場合であるが、保護管アダプター３０が必ずしも備える必要はなく、図８のように保護管１３をパネル端部より伸ばして切断し、躯体へパネルを施工後ヘッダーボックス２５へ図６のように直接保護管を接続するようにしてもよい。
【００１１】
【発明の効果】
前記のように本発明は住宅用パネルにおいて、開口部を有する板と、前記板開口部に固定され、水使用器具または通水接続部材を収納するボックスと、前記水使用器具または前記通水接続部材に接続する通水管、または前記ボックスに接続され前記通水管が挿入される保護管を有するようにしたので、パネルを建築躯体に取り付けるのみでよく、従来であれば必要だった建築現場でのパネルへの開口（第三課題）やボックスの建築躯体からの高さ位置調整（第一課題）という非常にわずらわしい作業をする必要がない。また、これにより建築現場で職種の異なる業者が交互に工事をする相判工事が必要なくなり、住宅全体での工程管理も簡単になる。
【００１２】
さらに前記板がパネル表の化粧板であり、パネルに作用する荷重を支える耐力部材を有するようにしたので、従来であれば板厚さの違いによる複数の部材準備の必要が無く部材を統一できる（第二の課題）ため、製作コストを低くすることができる。
【００１３】
さらに、前記パネルを床パネルに適用したので、特にパネル厚さが大きく異なる床に対しても厚さ違いの影響を受けないため、建築現場でのパネルへの穴あけや水使用器具または通水接続部材の位置調整をする必要がない床パネルを実現できる。
【図面の簡単な説明】
【図１】本発明の実施の形態１における床パネルの通水接続部材設置部の部分断面図
【図２】本発明の実施の形態１における床パネルの通水接続部材設置部の図１におけるＢ−Ｂ断面図
【図３】本発明の実施の形態１における床パネルの通水接続部材設置部の図１におけるＡ−Ａ断面図
【図４】本発明の実施の形態１における床パネルを建築躯体に設置した状態の部分平面図
【図５】本発明の実施の形態１における床パネルの正面外観図
【図６】本発明の実施の形態１における床パネルの保護管を伸ばした場合の建築躯体に設　置した状態の部分平面図
【図７】本発明の実施の形態１における図４の部分拡大図
【図８】本発明の実施の形態１における床パネルの保護管を伸ばした場合のパネル正面外観図
【図９】従来の床に設置する通水接続部材の設置状態斜視図
【図１０】従来の通水接続部材の床設置状態の断面図
【図１１】従来の通水接続部材の床設置状態の部分断面図
【符号の説明】
１　大便器
２　給水ホース
３　通水接続部材
４　ボックス
５　固定枠
６　カバー
７　通水部材
８　床スラブ
９　スラブ固定板
１０　ボルト
１１　ボックス固定板
１２　ナット
１３　保護管
１４　保護管アダプター
１５　床化粧板
１６　通水管
１７　継手
１８　ネジ
１９　床化粧板
２０　保温材
２２　粗床板
２３　ネジ
２４　パネル
２５　ヘッダーボックス
２６　保護管
２７　粗床板
２８　室内側端部
２９　穴
３０　保護管接続アダプター
３１　ボルト
３２　ナット
３３　パネル
３４　破線
３５　土台
【図１】
2004092130.tif 000003
【図２】
2004092130.tif 000004
【図３】
2004092130.tif 000005
【図４】
2004092130.tif 000006
【図５】
2004092130.tif 000007
【図６】
2004092130.tif 000008
【図７】
2004092130.tif 000009
【図８】
2004092130.tif 000010
【図９】
2004092130.tif 000011
【図１０】
2004092130.tif 000012
【図１１】
2004092130.tif 000013